【手続補正書】
【提出日】平成29年10月25日(2017.10.25)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
遊技者による操作を受け付け可能な操作手段と、
遊技者が遊技していない非遊技期間であるときに前記操作手段にて受け付けた操作に対応する操作対応処理を実行する操作対応処理手段と、
遊技機に関する特別画像と該特別画像とは異なる画像であって前記操作対応処理に関する特定画像を表示可能な表示手段と、
前記表示手段の表示制御を行う表示制御手段と、
を備え、
前記特別画像は、製造者情報を含む画像であり、
前記表示制御手段は、
前記非遊技期間における通常期間と異なる期間であって、前記非遊技期間における特別期間であるときには前記特別画像を前記表示手段に表示する制御を行い、
変動表示の表示結果が導出表示された後に最初に前記特別画像が表示される期間においては、該特別期間が開始されるまでの期間よりも短い所定期間が経過した場合に、前記操作可能画像を前記表示手段に表示し、
前記所定期間が経過する前に前記操作手段にて操作を受け付けた場合には、前記操作可能画像を表示していなくても前記操作対応画像を前記表示手段に表示する
制御を行う
ことを特徴とする遊技機。
【手続補正２】
【補正対象書類名】明細書
【補正対象項目名】０００４
【補正方法】変更
【補正の内容】
【０００４】
しかしながら、特許文献１にあっては、客待ち画面の表示中に所定のボタン操作を行うことにより、調整モードの画面（特定画像）に移行できるようになっているが、客待ち画面の表示中であっても、遊技者に優先的に見せたい画像（特別画像）、例えば、遊技機のメーカー名を表示する画像等を表示する場合がある。そのような場合において、所定の操作に関する手法について改善の余地がある。
【手続補正３】
【補正対象書類名】明細書
【補正対象項目名】０００５
【補正方法】変更
【補正の内容】
【０００５】
本発明は、このような問題点に着目してなされたもので、所定の操作に関する遊技の興趣に優れる遊技機を提供することを目的とする。
【手続補正４】
【補正対象書類名】明細書
【補正対象項目名】０００６
【補正方法】変更
【補正の内容】
【０００６】
前記課題を解決するために、手段１に記載の遊技機は、
遊技を行うことが可能な遊技機であって、
遊技者による操作を受け付け可能な操作手段と、
遊技者が遊技していない非遊技期間であるときに前記操作手段にて受け付けた操作に対応する操作対応処理を実行する操作対応処理手段と、
遊技機に関する特別画像と該特別画像とは異なる画像であって前記操作対応処理に関する特定画像を表示可能な表示手段と、
前記表示手段の表示制御を行う表示制御手段と、
を備え、
前記特別画像は、製造者情報を含む画像であり、
前記表示制御手段は、
前記非遊技期間における通常期間と異なる期間であって、前記非遊技期間における特別期間であるときには前記特別画像を前記表示手段に表示する制御を行い、
変動表示の表示結果が導出表示された後に最初に前記特別画像が表示される期間においては、該特別期間が開始されるまでの期間よりも短い所定期間が経過した場合に、前記操作可能画像を前記表示手段に表示し、
前記所定期間が経過する前に前記操作手段にて操作を受け付けた場合には、前記操作可能画像を表示していなくても前記操作対応画像を前記表示手段に表示する
制御を行う
ことを特徴とする遊技機。
また、前記課題を解決するために、手段２に記載の遊技機は、
遊技を行うことが可能な遊技機（例えば、パチンコ遊技機１）であって、
遊技者による操作を受け付け可能な操作手段（例えば、演出制御用ＣＰＵ１２０が図２１〜図２７に示す非変動中画面表示処理にて音量調整操作の有無の判定処理を行うことで音量調整操作を検出可能な部分）と、
遊技者が遊技していない非遊技期間（例えば、演出制御用ＣＰＵ１２０が変動パターンコマンド受信待ち処理を実行している期間）であるときに前記操作手段にて受け付けた操作に対応する操作対応処理（例えば、図３０（Ｆ）の音量調整画面の表示、または、確認音の出力）を実行する操作対応処理手段（例えば、演出制御用ＣＰＵ１２０が図２８及び図２０に示す第１及び第２音量調整処理を実行する部分）と、
遊技機に関する特別画像（例えば、図３０（Ｅ）に示す社名画面）と該特別画像とは異なる画像であって前記操作対応処理に関する特定画像（例えば、図３０（Ｆ）の音量調整画面）を表示可能な表示手段（例えば、演出制御用ＣＰＵ１２０が演出表示装置５に画面を表示する部分）と、
前記表示手段の表示制御を行う表示制御手段（例えば、演出制御用ＣＰＵ１２０が図２１〜図２７に示す非変動中画面表示処理を実行する部分）と、
を備え、
前記表示制御手段は、前記非遊技期間における通常期間（例えば、図３０（Ｅ）に示す社名画面が表示されていない期間）と異なる期間であって、前記非遊技期間における特別期間（例えば、図３０（Ｅ）に示す社名画面が表示される期間）であるときには前記特別画像を前記表示手段に表示する制御を行い（例えば、図３０（Ｆ）の音量調整画面を表示する部分）、
前記操作対応処理は、前記特定画像を前記表示手段に表示する処理（例えば、図３０（Ｆ）の音量調整画面を表示する部分）と該特定画像を前記表示手段に表示する以外の態様で所定の報知を行う処理（例えば、確認音の出力を行う部分）とを含み、前記操作対応処理手段は、前記通常期間であるときに前記操作手段にて操作を受け付けた場合には前記特定画像を前記表示手段に表示する処理を行い（例えば、演出制御用ＣＰＵ１２０が、図２４に示す非変動中画面表示処理のＳ４３８にて音量調整操作があった場合に進むＳ４４８において音量調整画面表示を開始する部分、または、図２５に示す非変動中画面表示処理のＳ４４９にて音量調整操作があった場合に進むＳ４６０において音量調整画面表示を開始する部分）、前記特別画像の表示中に前記操作手段にて操作を受け付けた場合には前記特定画像を前記表示手段に表示しないで前記所定の報知を行う処理を行う（例えば、演出制御用ＣＰＵ１２０が、図２７に示す非変動中画面表示処理のＳ４９７にて音量調整操作があった場合に図２９に示す第２音量調整処理のＳ９１０にて確認音を出力する部分）
ことを特徴としている。
この特徴によれば、遊技機に関する特別画像が特定画像により見え難くなってしまうことを防止できる。
【手続補正５】
【補正対象書類名】明細書
【補正対象項目名】０００７
【補正方法】変更
【補正の内容】
【０００７】
手段３の遊技機は、手段２に記載の遊技機であって、
変動表示の開始条件（例えば、保留記憶数が０でない場合であって、第１特別図柄および第２特別図柄の可変表示が実行されていない状態であり、かつ、大当り遊技が実行されていない状態）が成立したことにもとづいて各々を識別可能な複数種類の識別情報（例えば、特別図柄や演出図柄）の変動表示を行って表示結果を導出表示（例えば、停止図柄を表示）する遊技機（例えば、パチンコ遊技機１）であって、
前記表示手段（例えば、演出制御用ＣＰＵ１２０が演出表示装置５に画面を表示する部分）は、前記操作手段（例えば、演出制御用ＣＰＵ１２０が図２１〜図２７に示す非変動中画面表示処理にて音量調整操作の有無の判定処理を行うことで音量調整操作を検出可能な部分）にて操作の受け付けが可能であることを示す操作可能画像（例えば、図３０（Ｃ）及び図３０（Ｄ）に示す音量調整案内表示）を表示可能であり、
前記表示制御手段（例えば、演出制御用ＣＰＵ１２０が図２１〜図２７に示す非変動中画面表示処理を実行する部分）は、
前記変動表示の表示結果が導出表示された後に第１期間（例えば、第１待ち期間（ｔ２））が経過した場合に前記操作可能画像を前記表示手段に表示する制御を行う第１表示制御手段（例えば、演出制御用ＣＰＵ１２０が、図２３に示す非変動中画面表示処理のＳ４３４において第１待ち期間（ｔ２）がセットされた第２タイマがタイマアップしたときに進むＳ４３７において音量調整案内表示を開始する部分）と、
前記操作手段にて操作を受け付けたことに応じて前記特定画像を表示し、該特定画像の表示を終了した後は、前記第１期間よりも短い期間である第２期間（例えば、第２待ち期間（ｔ２’））が経過した場合に前記操作可能画像を前記表示手段に表示する制御を行う第２表示制御手段（例えば、演出制御用ＣＰＵ１２０が、図２３に示す非変動中画面表示処理のＳ４３４において第２待ち期間（ｔ２’）がセットされた第２タイマがタイマアップしたときに進むＳ４３７において音量調整案内表示を開始する部分）と、
を備える
ことを特徴としている。
この特徴によれば、変動表示の表示結果が導出表示された後には、第１期間が経過するまで操作可能画像が表示されないので、遊技興趣が低下せず、かつ特定画像の表示を終了した後には、第１期間よりも短い第２期間の経過で操作可能画像の表示が行われるので、遊技者が再び特定画像を表示させたい場合に、操作手段による操作が可能であることを遊技者に迅速に認識させることができる。
【手続補正６】
【補正対象書類名】明細書
【補正対象項目名】０００８
【補正方法】変更
【補正の内容】
【０００８】
手段４の遊技機は、手段２に記載の遊技機であって、
前記表示手段（例えば、演出制御用ＣＰＵ１２０が演出表示装置５に画面を表示する部分）は、前記操作可能画像（例えば、図３０（Ｃ）及び図３０（Ｄ）に示す音量調整案内表示）を含まない変動後画像（例えば、図３０（Ｂ）に示す表示結果演出の画面）を表示可能であって、
前記表示制御手段（例えば、演出制御用ＣＰＵ１２０が図２１〜図２７に示す非変動中画面表示処理を実行する部分）は、変動表示の表示結果が導出表示された後に前記変動後画像を表示する制御を行い、電力供給が開始されたときに前記変動後画像を表示することなく前記操作可能画像を表示する制御を行う（例えば、演出制御用ＣＰＵ１２０が、図２１の非変動中画面表示処理のＳ４１１において初期化完了フラグがセットされているときに進む図２３に示すＳ４３７において音量調整案内表示を開始する部分）
ことを特徴としている。
この特徴によれば、電力供給が開始されたときは、変動表示の表示結果が導出表示された後に表示される変動後画像を省いて、迅速に特定画像に移行できることを遊技者に把握させることができる。
【手続補正７】
【補正対象書類名】明細書
【補正対象項目名】０００９
【補正方法】変更
【補正の内容】
【０００９】
手段５の遊技機は、手段３または手段４に記載の遊技機であって、
前記表示制御手段（例えば、演出制御用ＣＰＵ１２０が図２１〜図２７に示す非変動中画面表示処理を実行する部分）は、前記第１期間（例えば、第１待ち期間（ｔ２））が経過するまでに前記操作手段（例えば、演出制御用ＣＰＵ１２０が図２１〜図２７に示す非変動中画面表示処理にて音量調整操作の有無の判定処理を行うことで音量調整操作を検出可能な部分）にて操作を受け付けた場合には前記特定画像（例えば、図３０（Ｆ）に示す音量調整画面）を表示する制御を行わない
ことを特徴としている。
この特徴によれば、変動表示の表示結果が導出表示された直後に、操作手段にて操作によって特定画像が表示されて遊技者を混乱させてしまうことを防止できる。
【手続補正８】
【補正対象書類名】明細書
【補正対象項目名】００１０
【補正方法】変更
【補正の内容】
【００１０】
手段６の遊技機は、手段３〜手段５のいずれかに記載の遊技機であって、
前記表示手段（例えば、演出表示装置５）は、前記操作可能画像（例えば、変形例における図３３（Ｃ）に示すメニュー案内表示）を含まない非含有画像（例えば、変形例における図３３（Ｅ）のデモ画面）を表示可能であって、
前記表示制御手段（例えば、演出制御用ＣＰＵ１２０が図２１〜図２７に示す非変動中画面表示処理を実行する部分）は、前記操作可能画像が表示されてから特定期間（例えば、所定時間（ｔ３））が経過するまでに前記操作手段にて操作（例えば、ボタン操作）が受け付けられなかった場合には前記非含有画像を前記表示手段に表示し（例えば、変形例における演出制御用ＣＰＵ１２０が、第３タイマ（ｔ３）がタイマアップしたときにデモ画面の表示を開始する部分）、該非含有画像の表示中に前記操作手段にて操作を受け付けた場合には前記特定画像（例えば、図３３（Ｄ）に示すメニュー画面）を前記表示手段に表示する制御を行う（例えば、変形例における演出制御用ＣＰＵ１２０が、図３３（Ｃ）の画面の表示中にボタン操作があるときに図３３（Ｄ）に示すメニュー画面の表示を開始する部分）
ことを特徴としている。
この特徴によれば、操作可能画像が冗長に表示されてしまうことを防止できる。
【手続補正９】
【補正対象書類名】明細書
【補正対象項目名】００１１
【補正方法】変更
【補正の内容】
【００１１】
手段７の遊技機は、手段６に記載の遊技機であって、
前記表示制御手段（例えば、演出制御用ＣＰＵ１２０が図２１〜図２７に示す非変動中画面表示処理を実行する部分）は、前記特定画像（例えば、変形例における図３３（Ｄ）に示すメニュー画面）の表示中に前記操作手段にて操作（例えば、ボタン操作やタッチ操作）の受け付けがあった場合には前記特定期間（例えば、所定時間（ｔ６））が経過したときに前記非含有画像（例えば、変形例における図３３（Ｅ）に示すデモ画面）を表示する制御を行わない（例えば、変形例において選択項目に対応する画面の表示中に、遊技者が操作を行っている場合はデモ画面に移行しない部分）
ことを特徴としている。
この特徴によれば、意図しない非含有画像の表示を防止できる。
【手続補正１０】
【補正対象書類名】明細書
【補正対象項目名】００１２
【補正方法】変更
【補正の内容】
【００１２】
手段８の遊技機は、手段３〜手段７のいずれかに記載の遊技機であって、
前記表示制御手段（例えば、変形例における演出制御用ＣＰＵ１２０が図３１〜図３２に示す非変動中画面表示処理を実行する部分）は、前記第２期間（例えば、第２待ち期間（ｔ２’））が経過するまでに前記操作手段（例えば、演出制御用ＣＰＵ１２０が図２１〜図２７に示す非変動中画面表示処理にて音量調整操作の有無の判定処理を行うことで音量調整操作を検出可能な部分）にて操作を受け付けた場合には前記特定画像（例えば、図３０（Ｆ）の音量調整画面）を表示する制御を行う（例えば、変形例における演出制御用ＣＰＵ１２０が、図３２に示す非変動中画面表示処理のＳ４３４ｃにて調整画面既表示フラグがセットされているときに進むＳ４３４ｄにおいて、音量調整操作がある場合に進むＳ４３４ｊにおいて音量調整画面の表示を開始する部分）
ことを特徴としている。
この特徴によれば、遊技者の操作により迅速に特定画像に復帰できる。
【手続補正１１】
【補正対象書類名】明細書
【補正対象項目名】００１３
【補正方法】変更
【補正の内容】
【００１３】
手段９の遊技機は、手段２〜手段８のいずれかに記載の遊技機であって、
前記表示制御手段（例えば、演出制御用ＣＰＵ１２０が図２１〜図２７に示す非変動中画面表示処理を実行する部分）は、前記特別期間（例えば、図３０（Ｅ）に示す社名画面が表示される期間）の開始前に前記操作可能画像（例えば、図３０（Ｃ）及び図３０（Ｄ）に示す音量調整案内表示）を前記表示手段（例えば、演出表示装置５）に表示し、該特別期間中において前記表示手段に表示中の前記操作可能画像を消去し（例えば、図３０（Ｅ）に示す社名画面の表示中に音量調整案内表示を消去する部分）、該特別期間の終了後に前記操作可能画像を前記表示手段に再表示する制御を行う（例えば、図３０（Ｅ）に示す社名画面の終了後の図３０（Ｄ）に示すデモ画面において音量調整案内表示を表示する部分）
ことを特徴としている。
この特徴によれば、遊技者に優先的に見せたい特別画像が操作可能画像により見え難くなってしまうことを防止しつつ、遊技者に対して特別期間の開始前から終了後に亘って操作手段による操作が可能であることを遊技者に迅速に認識させることができる。